(57)【要約】【課題】  デジタルカメラ付きの携帯電話機のように、記憶容量が比較的小さい装置を用いた場合であっても、より大量の音声付きの画像データをサーバ装置に送信し、それらのデータをサーバ装置から所望の宛先に配信できるようにする。【解決手段】  携帯電話機１０から画像データ及び音声データをテレビ電話プロトコルによって配信サーバ装置２０に送信する。よって、これらの画像データ及び音声データを携帯電話機１０の不揮発性メモリ１２に記憶させるといったような処理が不要となる。つまり、画像データ及び音声データの総データサイズは携帯電話機１０における記憶容量の大小に依存しないので、より大量の画像データ及び音声データを配信サーバ装置２０にアップロードすることができる。【選択図】        図１
2006229885.tif 000002
【特許請求の範囲】
【請求項１】
テレビ電話機と、前記テレビ電話機に電話網を介して接続されたサーバ装置とを備え、
前記テレビ電話機は、
撮像手段と、
収音手段と、
前記撮像手段によって撮像された画像を表す画像データと前記収音手段によって収音された音声を表す音声データとを生成し、画像と音声とを同期させて送受信するためのテレビ電話プロトコルを用いて、前記画像データ及び前記音声データを前記サーバ装置に送信するテレビ電話手段と、
前記テレビ電話プロトコルとは異なる通信プロトコルを用いて、前記画像データ及び前記音声データの宛先を前記サーバ装置に通知する宛先通知手段とを有し、
前記サーバ装置は、
前記テレビ電話機から受信した前記画像データ及び前記音声データを格納する格納手段と、
前記テレビ電話機から通知された宛先に対し、前記画像データ及び前記音声データが格納されていることを通知する登録通知手段と、
前記宛先からの要求に応じて、前記格納手段によって格納されている前記画像データ及び音声データを当該宛先に送信する送信手段とを有する動画メッセージ配信システム。
【請求項２】
画像と音声とを同期させて送受信するためのテレビ電話プロトコルを用いて、テレビ電話機との間で電話回線を接続し、前記テレビ電話機から送信されてくる画像データ及び音声データを受信するテレビ電話手段と、
テレビ電話プロトコルとは異なる通信プロトコルを用いて、前記テレビ電話機と通信を行う通信手段と、
前記テレビ電話手段が前記テレビ電話機から受信した画像データ及び音声データを格納する格納手段と、
前記通信手段が前記画像データ及び前記音声データの宛先として通信アドレスを受信すると、当該通信アドレスが割り当てられた通信装置に対し、前記画像データ及び前記音声データが格納されていることを通知する登録通知手段と、
前記通信装置からの要求に応じて、前記格納手段によって格納されている前記画像データ及び音声データを当該通信装置に送信する送信手段と
を備えたサーバ装置。
【請求項３】
前記テレビ電話手段が前記テレビ電話機に入力されたアクセスコードを受信すると、該アクセスコードを該テレビ電話機の識別子と対応付けて記憶する記憶手段と、
前記通信手段が前記アクセスコード及び前記電話機識別子を受信すると、受信した前記アクセスコード及び前記電話機識別子と前記記憶手段に記憶されている前記アクセスコード及び前記電話機識別子とが一致するか否かを判断する認証手段と備え、
前記登録通知手段は、前記認証手段により両者が一致すると判断された場合に前記通知を行う請求項２記載のサーバ装置。
【請求項４】
前記認証手段により両者が一致すると判断された場合には、前記画像データ及び前記音声データに付属する付属データの入力を促す編集画面を前記通信手段によって前記テレビ電話機に送信させる編集画面送信手段を備え、
前記格納手段は、前記通信手段が前記付属データを受信すると、該付属データを前記画像データ及び前記音声データに対応付けて格納し、
前記送信手段は、前記通信装置からの要求に応じて、前記格納手段によって格納されている前記画像データ、前記音声データ及び前記付属データを当該通信装置に送信する請求項３記載のサーバ装置。
【請求項５】
画像と音声とを同期させて送受信するためのテレビ電話プロトコルを用いて、テレビ電話機がサーバ装置との間で電話回線を接続するステップと、
電話回線が接続されると、前記テレビ電話機が、撮像した画像を表す画像データと、収音した音を表す音声データとをテレビ電話プロトコルによって前記サーバ装置に送信するステップと、
サーバ装置が、前記テレビ電話機から前記画像データ及び前記音声データを受信し、記憶装置に格納するステップと、
前記画像データ及び前記音声データを格納する処理が終了すると、前記テレビ電話機が、テレビ電話プロトコルとは異なる通信プロトコルを用いて、前記画像データ及び前記音声データの宛先を前記サーバ装置に通知するステップと、
前記サーバ装置が、前記テレビ電話機から通知された宛先に対し、前記画像データ及び前記音声データが格納されていることを通知するステップと、
前記サーバ装置が、前記宛先からの要求に応じて、前記記憶装置に格納されている前記画像データ及び音声データを当該宛先に送信するステップと
を具備する動画メッセージ配信方法。
【発明の詳細な説明】
【技術分野】
【０００１】
本発明は、画像データ及び音声データを配信するための技術に関する。
【背景技術】
【０００２】
クライアント装置が撮像した音声付きの動画像データをサーバ装置にアップロードし、その宛先を指定すると、このサーバ装置によって指定された宛先に動画像データを配信するというサービスが提案されている。この種のサービスにおいては、例えば特許文献１などにも開示されているように、まず画像をデジタルカメラなどの録画装置で録画してから、その録画画像をサーバ装置にアップロードすることになる。静止画像と比べると、動画像のデータサイズは相当に大きくなってしまうが、録画装置が大容量の記憶装置を備えていれば特に問題はない。しかし、デジタルカメラ付きの携帯電話機を録画装置として用いるような場合、一般的に携帯電話機の記憶容量は小さいので、短時間の録画画像しかアップロードできないという問題がある。
【特許文献１】特開２００３−１４３５７４号公報
【発明の開示】
【発明が解決しようとする課題】
【０００３】
そこで、本発明の目的は、例えばデジタルカメラ付きの携帯電話機のように、記憶容量が比較的小さい装置を用いた場合であっても、より大量の音声付き画像データをサーバ装置に送信し、それらのデータをサーバ装置から所望の宛先に配信することが可能な仕組みを提供することにある。
【課題を解決するための手段】
【０００４】
上記課題を達成するために、本発明は、テレビ電話機と、前記テレビ電話機に電話網を介して接続されたサーバ装置とを備え、前記テレビ電話機は、撮像手段と、収音手段と、前記撮像手段によって撮像された画像を表す画像データと前記収音手段によって収音された音声を表す音声データとを生成し、画像と音声とを同期させて送受信するためのテレビ電話プロトコルを用いて、前記画像データ及び前記音声データを前記サーバ装置に送信するテレビ電話手段と、前記テレビ電話プロトコルとは異なる通信プロトコルを用いて、前記画像データ及び前記音声データの宛先を前記サーバ装置に通知する宛先通知手段とを有し、前記サーバ装置は、前記テレビ電話機から受信した前記画像データ及び前記音声データを格納する格納手段と、前記テレビ電話機から通知された宛先に対し、前記画像データ及び前記音声データが格納されていることを通知する登録通知手段と、前記宛先からの要求に応じて、前記格納手段によって格納されている前記画像データ及び音声データを当該宛先に送信する送信手段とを有する動画メッセージ配信システムを提供する。
【０００５】
このシステムによれば、テレビ電話機が生成した画像データ及び音声データをテレビ電話プロトコルによって配信サーバ装置に送信するので、これらの画像データ及び音声データをテレビ電話機の不揮発性の記憶手段に記憶させるといったような従来必要であった処理が不要となる。つまり、画像データ及び音声データの総データサイズはテレビ電話機における記憶容量の大小に依存しないので、より大量の画像データ及び音声データをサーバ装置に送信し、それらのデータをサーバ装置から所望の宛先に配信することが可能となる。
【０００６】
また、本発明は、画像と音声とを同期させて送受信するためのテレビ電話プロトコルを用いて、テレビ電話機との間で電話回線を接続し、前記テレビ電話機から送信されてくる画像データ及び音声データを受信するテレビ電話手段と、テレビ電話プロトコルとは異なる通信プロトコルを用いて、前記テレビ電話機と通信を行う通信手段と、前記テレビ電話手段が前記テレビ電話機から受信した画像データ及び音声データを格納する格納手段と、前記通信手段が前記画像データ及び前記音声データの宛先として通信アドレスを受信すると、当該通信アドレスが割り当てられた通信装置に対し、前記画像データ及び前記音声データが格納されていることを通知する登録通知手段と、前記通信装置からの要求に応じて、前記格納手段によって格納されている前記画像データ及び音声データを当該通信装置に送信する送信手段とを備えたサーバ装置を提供する。
【０００７】
本発明の好ましい態様において、前記テレビ電話手段が前記テレビ電話機に入力されたアクセスコードを受信すると、該アクセスコードを該テレビ電話機の識別子と対応付けて記憶する記憶手段と、前記通信手段が前記アクセスコード及び前記電話機識別子を受信すると、受信した前記アクセスコード及び前記電話機識別子と前記記憶手段に記憶されている前記アクセスコード及び前記電話機識別子とが一致するか否かを判断する認証手段と備え、前記登録通知手段は、前記認証手段により両者が一致すると判断された場合に前記通知を行う。つまりアクセスコードを知っているユーザだけが編集を行うことができることになるので、第３者によって不正な行為が行われる可能性を低くすることができる。
【０００８】
さらに好ましい態様においては、前記認証手段により両者が一致すると判断された場合には、前記画像データ及び前記音声データに付属する付属データの入力を促す編集画面を前記通信手段によって前記テレビ電話機に送信させる編集画面送信手段を備え、前記格納手段は、前記通信手段が前記付属データを受信すると、該付属データを前記画像データ及び前記音声データに対応付けて格納し、前記送信手段は、前記通信装置からの要求に応じて、前記格納手段によって格納されている前記画像データ、前記音声データ及び前記付属データを当該通信装置に送信する。このようにすれば、画像データ及び音声データだけではなく、例えばタイトルやコメントなどの付属データをも宛先に届けることができ、宛先のユーザから見ると面白みが増すことになる。
【発明を実施するための最良の形態】
【０００９】
次に、本発明を実施するための最良の形態について説明する。
以下の説明において、テレビ電話とは、送信側のユーザと受信側のユーザとが互いの画像を見ながらリアルタイムに通話を行うサービスないし機能である。そして、テレビ電話に用いられるテレビ電話プロトコルとは、画像と音声とを同期させて通話先と送受信するための通信プロトコルである。
【００１０】
（１）構成
図１は、本実施形態に係る動画メッセージ配信システムの全体構成を示すブロック図である。図１において、携帯電話網１００は、例えばＩＭＴ−２０００（International Mobile Telecommunications-2000）方式の通信設備である。ＩＭＴ−２０００方式はおおよそ数百ｋｂｐｓ〜数Ｍｂｐｓ程度の高速データ通信を実現し得る。このように高速データ通信が可能であるから、携帯電話網１００に収容される携帯電話機１０は、テレビ電話プロトコルを用いることによってテレビ電話を実現することができる。
【００１１】
配信サーバ装置２０は、インターネット２００と携帯電話網１００との双方に接続されたＷＷＷ（World Wide Web）サーバ装置である。この配信サーバ装置２０は、画像データ及び音声データをその送信元から受け取って宛先へと配信する機能を備えている。これらの画像データ及び音声データを合わせて「動画メッセージ」と呼ぶ。図１においては、携帯電話機１０を動画メッセージの送信元とし、インターネット２００に接続されたパーソナルコンピュータ３０を動画メッセージの宛先とする。なお、図１においては図面が繁雑になるのを避けるために、携帯電話機及びパーソナルコンピュータ（以下、パソコンという）をそれぞれ１つしか図示していないが、実際にはこれらは複数存在する。
【００１２】
次に、図２を参照しながら、携帯電話機１０の構成について説明する。図２に示す無線通信部１５は、図示せぬアンテナや通信制御回路からなり、携帯電話網１００の基地局と無線通信を行うようになっている。操作部１４は、ユーザが各種入力操作を行うためのキーパッドを有しており、ユーザが押圧したキーに応じた信号を制御部１１に供給する。表示部１３は液晶ディスプレイや液晶駆動回路を備えており、制御部１１から供給される信号に基づいて画像を表示する。
【００１３】
通話部１６は、音を収音するマイクロホン１６１と、音を放音するスピーカ１６２とを備えている。撮像部１７はデジタルカメラであり、ユーザはこの撮像部１７を用いて所望の画像を自由に撮ることができる。制御部１１は、例えばＣＰＵ（Central Processing Unit）など演算装置や、ＲＯＭ（Read Only Memory）やＲＡＭ（Random Access Memory）などの各種メモリを備えている。制御部１１は、自身のメモリや不揮発性メモリ１２に記憶されているコンピュータプログラムを読み出して実行することにより、携帯電話機１０の各部を制御する。例えば制御部１１は、撮像部１７によって撮像された画像を表す画像データと、マイクロホン１６１によって収音された音声を表す音声データとを生成し、これらのデータをテレビ電話プロトコルを用いることによって無線通信部１５から配信サーバ装置２０に送信する。
【００１４】
不揮発性メモリ１２は例えばＥＥＰＲＯＭ（Electrically Erasable and Programmable Read Only Memory）であり、ブラウザプログラムやメーラなどのコンピュータプログラムを記憶している。制御部１１がブラウザプログラムを実行することによって、携帯電話機１０は、テレビ電話プロトコルとは異なる通信プロトコルであるＨＴＴＰ（Hypertext Transfer Protocol）に従って、インターネット２００に接続された配信サーバ装置２０と通信を行うことが可能となる。また、制御部１１がメーラを実行することによって、携帯電話機１０はメールクライアントとして機能することができる。
【００１５】
以上が、動画メッセージの送信元である携帯電話機１０の構成である。これに対し、動画メッセージの宛先であるパソコン３０は、ＣＰＵ，ＲＯＭ、ＲＡＭ、通信ポート、ハードディスク、液晶ディスプレイ、スピーカ、キーボード及びマウス等を備えた汎用のコンピュータ装置である。パソコン３０のハードディスクには、携帯電話機１０と同様に、ブラウザプログラムとメーラが記憶されている。従って、パソコン３０は、ＨＴＴＰに従ったデータ通信が可能であるとともに、メールクライアントとして機能することもできるようになっている。
【００１６】
次に、図３に示すブロック図を参照しながら、配信サーバ装置２０の構成について説明する。図３に示す制御部２１は、例えばＣＰＵなど演算装置や、ＲＯＭやＲＡＭなどの各種メモリを備えている。制御部２１は、これらのメモリや不揮発性記憶部２３に記憶されているコンピュータプログラムを読み出して実行することにより、配信サーバ装置２０の各部を制御する。通信部２２は、インターネット２００に接続されており、制御部２１による制御の下でインターネット２００を介して携帯電話機１０やパソコン３０とデータ通信を行う。テレビ電話部２４は、携帯電話網１００に接続されており、テレビ電話プロトコルを用いた通信を実現する。
【００１７】
不揮発性記憶部２３は、例えばハードディスクなどの大容量の記憶装置である。この不揮発性記憶部２３には、ＷＷＷサーバプログラムやメーラなどのコンピュータプログラムが記憶されている。また、不揮発性記憶部２３には、動画メッセージ格納領域と、ユーザ情報格納領域とが設けられている。動画メッセージ格納領域は、携帯電話機１０から受信した画像データ及び音声データ（動画メッセージ）と、これらに付属する各種の付属データとを対応付けて格納するための領域である。ユーザ情報格納領域は、これらデータの送信元である携帯電話機１０のユーザに関する情報を格納するための領域である。さらに、不揮発性記憶部２３には、ＨＴＭＬ（HyperText Markup Language）で記述された各種の画面データが記憶されている。
【００１８】
ここで、図４は上述した付属データの内容の一例を表す図である。図４において、「動画メッセージＩＤ」は、制御部２１によってそれぞれの動画メッセージ（画像データ及び音声データの組）に割り当てられた識別情報である。「送信元電話番号」は、動画メッセージの送信元装置（ここでは携帯電話機１０）の電話番号である。「宛先メールアドレス」は、動画メッセージの宛先装置（ここではパソコン３０）に割り当てられたメールアドレスである。「動画メッセージ格納日時」とは、制御部２１が携帯電話機１０からテレビ電話プロトコルを用いて送信されてきた動画メッセージを不揮発性記憶部２３の動画メッセージ格納領域に格納した日時である。「動画メッセージファイル名」とは、この画像データ及び音声データのファイル名である。「タイトル」及び「コメント」とは、携帯電話機１０のユーザが動画メッセージのタイトル及び「コメント」として指定したものである。配信サーバ装置２０においては、動画メッセージの画像がパソコン３０に表示される際の表示枠などの装飾画像が「テンプレート」として予め用意されている。図４の「テンプレート識別子」とは、そのテンプレートを識別するための情報である。
【００１９】
次に、図５は、ユーザ情報格納領域に格納された内容の一例を表す図である。図５に示す例は、例えば携帯電話機１０の電話番号が「０９０−１１１１−１１１１」であり、そのユーザ名が「tanaka」であり、そのユーザの携帯電話機１０に割り当てられたメールアドレスが「tanaka@xxx.co.jp」である場合を意味している。「アクセスコード」とは、動画メッセージの送り手であるユーザを認証するための情報であり、本実施形態では４桁の数字列である。「アクセスコード」以外のユーザ情報は予めユーザ情報格納領域に格納されたものである。これに対し、「アクセスコード」は、携帯電話機１０が動画メッセージを配信サーバ装置２０にアップロードする際に、その携帯電話機１０から配信サーバ装置２０に通知されてユーザ情報格納領域に格納されるものである。
【００２０】
（２）動作
次に、図６〜図８に示すシーケンスを参照しながら、本実施形態の動作について説明する。以下の説明においては、配信サーバ装置２０（テレビ電話部２４）に割り当てられた電話番号を「１２３４−５６７８」とし、携帯電話機１０の電話番号を「０９０−１１１１−１１１１」とし、メールアドレスを「tanaka@xxx.co.jp」とし、パソコン３０のメールアドレスを「xyz@xxx.co.jp」とする。
図６において、ユーザは、携帯電話機１０の操作部１４を操作し、配信サーバ装置２０の電話番号「１２３４−５６７８」を入力する。続いて、ユーザは４桁の数字（ここでは「９９９９」）をアクセスコードとして入力し、オフフックキーを押圧して発呼を指示する。携帯電話機１０の制御部１１は、この操作を受け付け、電話番号「１２３４−５６７８」の後にアクセスコード「９９９９」を付加番号として含む呼接続信号を無線通信部１５から携帯電話網１００に送信する（ステップＳ１）。
【００２１】
携帯電話網１００の交換機は、呼接続信号に含まれている電話番号「１２３４−５６７８」を用いて配信サーバ装置２０のテレビ電話部２４を呼び出す。この呼出の際には、携帯電話網１００の発信者番号通知機能により携帯電話機１０の電話番号「０９０−１１１１−１１１１」が配信サーバ装置２０に通知されるとともに、アクセスコード「９９９９」が付加番号として配信サーバ装置２０に通知される。配信サーバ装置２０の制御部２１は、オフフック処理を行った後に（ステップＳ２）、不揮発性記憶部２３のユーザ情報格納領域をサーチし、携帯電話網１００から通知された電話番号「０９０−１１１１−１１１１」に対応する「アクセスコード」のフィールドに「９９９９」を書き込む（ステップＳ３）。この処理によって、ユーザ情報格納領域に格納されている内容は図５に示したようになる。そして、配信サーバ装置２０の制御部２１は、呼接続信号に応答する応答信号をテレビ電話部２４から携帯電話網１００に送信し、これに応じて、携帯電話機１０と配信サーバ装置２０との間で電話回線の接続処理がなされることになる。
【００２２】
電話回線が接続されると、携帯電話機１０の制御部１１は、撮像部１７で撮像した画像を表す画像データと、マイクロホン１６１で収音した音声を表す音声データとを生成し、テレビ電話プロトコルを用いて無線通信部１５から配信サーバ装置２０に送信する処理を開始する（ステップＳ４）。一方、配信サーバ装置２０の制御部２１は、携帯電話機１０から送信されてくる画像データ及び音声データを不揮発性記憶部２３の動画メッセージ格納領域に記憶する録画処理を開始する（ステップＳ５）。このとき、制御部２１は、記憶する画像データ及び音声データに対して動画メッセージＩＤ「C1000001」を割り当てると共に、ファイル名「f0000001」を付与し、これらを付属データとして不揮発性記憶部２３に記憶する（図４参照）。
【００２３】
携帯電話機１０のユーザは音声及び画像を撮り終えると、オンフックキーを押圧する。携帯電話機１０の制御部１１はこの操作を受け付け（ステップＳ６）、配信サーバ装置２０のテレビ電話部２４との間で電話回線の切断処理を実行する。電話回線が切断されると、配信サーバ装置２０の制御部２１は、録画処理を終了する（ステップＳ７）。次いで、制御部２１は、ユーザ情報格納領域から、電話番号「０９０−１１１１−１１１１」に対応するメールアドレス「tanaka@xxx.co.jp」を読み出し、動画メッセージを登録した旨のメッセージを含む電子メールを生成して送信する（ステップＳ８）。この電子メールには、例えば図９に示すような内容が記述されており、図中の「ここ」という文字列にはＨＴＭＬのアンカータグによって配信サーバ装置２０のＵＲＬが関連づけられている。
【００２４】
携帯電話機１０のユーザが、表示部１３に表示された電子メールを参照し、図９に示した「ここ」という文字列を選択する操作を行うと、携帯電話機１０の制御部１１は、この操作を受け付ける（図７のステップＳ１１）。そして、制御部１１は、ブラウザプログラムを起動して、配信サーバ装置２０のＵＲＬを含むＨＴＴＰリクエストを送信する（ステップＳ１２）。配信サーバ装置２０の通信部２２がこのＨＴＴＰリクエストを受信すると、制御部２１は、ユーザ認証を行うための認証画面データを不揮発性記憶部２３から読み出し、これを通信部２２から携帯電話機１０に送信する（ステップＳ１３）。
【００２５】
携帯電話機１０の制御部１１は、この認証画面データを受信すると、表示部１３に認証画面を表示する。この認証画面には、電話番号及びアクセスコードを入力するための入力欄が設けられているので、ユーザはこれらの入力欄に自身の電話番号「０９０−１１１１−１１１１」と、既に配信サーバ装置２０に通知済みであるアクセスコード「９９９９」とを認証情報として入力する。携帯電話機１０の制御部１１は、この操作を受け付け、上記の電話番号及びアクセスコードを認証情報として含むＨＴＴＰリクエストを、無線通信部１５から配信サーバ装置２０に送信する（ステップＳ１４）。
【００２６】
配信サーバ装置２０の制御部２１は、上記ＨＴＴＰリクエストに含まれていた電話番号及びアクセスコードの組が、不揮発性記憶部２３のユーザ情報格納領域に記憶されている内容と一致するか否かにより認証処理を行う（ステップＳ１５）。この場合、受信した電話番号「０９０−１１１１−１１１１」及びアクセスコード「９９９９」は、図５に示すようにユーザ情報格納領域に記憶されている内容と一致することになる。この場合、配信サーバ装置２０の制御部２１は、不揮発性記憶部２３から編集画面データを読み出し、これを通信部２２から携帯電話機１０に送信する（ステップＳ１６）。なお、配信サーバ装置２０が受信した電話番号「０９０−１１１１−１１１１」及びアクセスコード「９９９９」がユーザ情報格納領域に記憶されている内容と一致しない場合には、制御部２１は、権限のない第３者からの不正なアクセスであると判断し、エラー通知をその送信元に送信するなどして、アクセスを拒否する。
【００２７】
携帯電話機１０の制御部１１は、編集画面データを受信すると、図１０に示すような編集画面を表示部１３に表示する。この編集画面には、宛先メールアドレスと、タイトルと、コメントと、テンプレート識別子を入力する入力欄が設けられている。ここで、ユーザは例えばタイトル欄に「Happy Birthday！」と入力し、コメント欄に「２０才の誕生日おめでとう。」と入力し、テンプレート識別子欄に「ｔ１０２１」と入力する。テンプレートには様々なバリエーションがあるが、これらは図１０の「参照」という文字列を選択するとリンクを辿って閲覧できるようになっている。制御部１１は、ユーザによって「送信」という文字列が選択されると、この操作を受け付け、上記のような編集内容を含むＨＴＴＰリクエストを配信サーバ装置２０に送信する（ステップＳ１７）。
【００２８】
配信サーバ装置２０の制御部２１は、上記ＨＴＴＰリクエストに含まれていた編集内容を不揮発性記憶部２３の動画メッセージ格納領域に付属データとして記憶する（ステップＳ１８）。これによって、動画メッセージ格納領域に記憶された付属データの内容は、図４に示すような内容となる。そして、制御部２１は、動画メッセージ格納領域から宛先メールアドレス「xyz@xxx.co.jp」を読み出し、そのメールアドレスに宛てて動画メッセージが登録されている旨のメッセージを含む電子メールを生成し、送信する（ステップＳ１９）。この電子メールには、例えば図１１に示すように、送信元のユーザ名やタイトルやコメントの内容が案内されている。
【００２９】
パソコン３０のユーザは、そのパソコンの液晶ディスプレイに表示された電子メールの内容を参照し、図１１に示した「ここ」を選択する操作を行う。パソコン３０は、この操作を受け付けて（図８のステップＳ３１）、ブラウザプログラムを起動して配信サーバ装置２０のＵＲＬを含むＨＴＴＰリクエストを送信する（ステップＳ３２）。配信サーバ装置２０の制御部２１は、このＨＴＴＰリクエストを受信すると、画像データ及び音声データのファイルを読み出し、これを通信部２２からパソコン３０に送信する（ステップＳ３３）。パソコン３０は、このファイルを受け取ると、液晶ディスプレイに画像を表示しつつ、スピーカから音声を出力する（ステップＳ３４）。この場合、パソコン３０は、画像データ及び音声データのファイルをハードディスクに全て記憶してから（つまりダウンロードしてから）、これらを再生するようにしてもよいし、配信サーバ装置２０からストリーミングデータとして送信されてくる画像データ及び音声データを直ちに再生するようにしてもよい。
以上のようにして、携帯電話機１０から配信サーバ装置２０を経由してパソコン３０に動画メッセージを届けることができる。
【００３０】
以上説明した実施形態によれば、携帯電話機１０から画像データ及び音声データを生成し、これらをテレビ電話プロトコルによって直ちに配信サーバ装置２０に送信する。よって、これらの画像データ及び音声データを携帯電話機１０の不揮発性メモリ１２に記憶させてから（録画してから）、配信サーバ装置２０に送信するといったような、従来必要であった処理が不要となる。つまり、画像データ及び音声データの総データサイズは携帯電話機１０の不揮発性メモリ１２の記憶容量の大小に依存しないので、より大量の画像データ及び音声データを配信サーバ装置２０にアップロードすることができる。
【００３１】
また、上記実施形態では、携帯電話機１０から配信サーバ装置２０に対する最初のアクセス時に、そのユーザしか知り得ないアクセスコードを配信サーバ装置２０に通知しておき、動画メッセージの宛先等を指定する編集時には、そのアクセスコードを知っているユーザだけが編集を行うことができるようになっている。よって、未編集の動画メッセージに対して第３者が不正な行為を働くといったような危険を低くすることができる。さらに、画像データ及び音声データだけではなく、例えばタイトルやコメントなどの付属データをも宛先に届けることができるので、宛先のユーザから見ると、より面白みが増すことになる。
【００３２】
上記実施形態では、配信サーバ装置２０で録画した動画メッセージをその宛先に送信する際の手順として、まず登録通知メールを宛先に送信し、次いで、その宛先からの要求があれば、その要求に応じて動画メッセージを送信するようにしている。このように、動画メッセージを宛先に一度に送りつけるのでははなく、上記のように２段階の手順を踏んでいるのは、大量のデータをいきなり宛先に送信すると、その宛先の処理負担が増大することを懸念しているからである。
【００３３】
（３）変形例
本発明は上述した実施形態に限定されず、次のような変形が可能である。
（３−１）変形例１
画像データ及び音声データをテレビ電話プロトコルによって配信サーバ装置に送信する装置は携帯可能なテレビ電話機である必要はなく、テレビ電話プロトコルをサポートするテレビ電話機であれば固定型であってもよい。また、配信サーバ装置は、単体のサーバ装置によって構成される必要はなく、複数のサーバ装置群によって構成されていてもよい。
【００３４】
（３−２）変形例２
実施形態では、動画メッセージの宛先をインターネットに接続されたパソコンとしたが、これに限らず、携帯電話網に収容される携帯電話機を宛先としてもよい。この場合、宛先の携帯電話機においては、メッセージの送信元の携帯電話機が備えていた撮像部は必須の構成でない。
また、宛先の携帯電話機においてパソコンのように十分な記憶容量を確保できるときには、上記実施形態のようにファイル形式の動画メッセージをＨＴＴＰで配信サーバ装置から携帯電話機にダウンロードするようにしても問題はない。しかし、十分な記憶容量を確保できないようなときには、配信サーバ装置から画像データ及び音声データをストリーミングデータとして携帯電話機に送信し、その携帯電話機でこれらのデータを不揮発性メモリに記憶することなく、直ちに再生しなければならない。なお、宛先の携帯電話機がテレビ電話プロトコルをサポートする機能を備えている場合には、配信サーバ装置で再生される動画メッセージをテレビ電話プロトコルで携帯電話機に送信してやればよい。
よい。
【００３５】
（３−３）変形例３
上記実施形態では、動画メッセージの付属データとしてタイトルやコメントなどの例を挙げて説明したが、付属データの種類はこれに限らない。また、タイトルやコメントを宛先の携帯電話機に送信するタイミングは、登録通知メールを送信するときに限定されるものではなく、動画メッセージと共に付属データを送信するようにしてもよい。
なお、動画メッセージは画像データおよび音声データからなると説明したが、動画メッセージは画像データまたは音声データのいずれか一方だけであってもよい。
【００３６】
（３−４）変形例４
上述した配信サーバ装置において実行されるコンピュータプログラムは、磁気テープ、磁気ディスク、フロッピー（登録商標）ディスク、光記録媒体、光磁気記録媒体、ＣＤ（Compact Disk）、ＤＶＤ（Digital Versatile Disk）、ＲＡＭなどの記録媒体に記録した状態で提供し得る。
【図面の簡単な説明】
【００３７】
【図１】本発明の実施形態に係るシステムの全体構成を示すブロック図である。
【図２】同実施形態における携帯電話機の構成を示すブロック図である。
【図３】同実施形態における配信サーバ装置の構成を示すブロック図である。
【図４】同実施形態における配信サーバ装置によって記憶されている付属データの一例を示す図である。
【図５】同実施形態における配信サーバ装置によって記憶されているユーザ情報の一例を示す図である。
【図６】同実施形態におけるシステム全体の動作を示すシーケンス図である。
【図７】同実施形態におけるシステム全体の動作を示すシーケンス図である。
【図８】同実施形態におけるシステム全体の動作を示すシーケンス図である。
【図９】同実施形態における携帯電話機によって表示される登録確認メールの一例を示す図である。
【図１０】同実施形態における携帯電話機によって表示される編集画面の一例を示す図である。
【図１１】同実施形態におけるパソコンによって表示される登録通知メールの一例を示す図である。
【符号の説明】
【００３８】
１０・・・携帯電話機、１００・・・携帯電話網、２０・・・配信サーバ装置、２００・・・インターネット、３０・・・パソコン。
【図１】
2006229885.tif 000003
【図２】
2006229885.tif 000004
【図３】
2006229885.tif 000005
【図４】
2006229885.tif 000006
【図５】
2006229885.tif 000007
【図６】
2006229885.tif 000008
【図７】
2006229885.tif 000009
【図８】
2006229885.tif 000010
【図９】
2006229885.tif 000011
【図１０】
2006229885.tif 000012
【図１１】
2006229885.tif 000013